(57)【要約】  表示画面の画面サイズに応じたコンテンツリストを取得し表示するコンテンツリスト表示装置。この装置では、表示部（３１５）は、所定の画面サイズの表示画面を有し、コンテンツリストを表示する。利用者が操作して操作入力部（３１１）がコンテンツリストの送信要求指令を出力すると、コンテンツ情報操作部（３１２）は、表示範囲決定部（３１３）に対し、コンテンツリストの範囲を決定することを指令する。表示範囲決定部（３１３）は、表示部（３１５）の画面サイズに基づき、１画面で表示可能なコンテンツリストの範囲を決定する。これによって、携帯通信端末装置（３１０）は、１画面に表示できる程度のコンテンツリスト情報をサーバ装置（３５０）から取得するので、例えば通信不良により再送制御が必要になった場合も、再送時間は短時間で済み、利用者への利便性が低下する可能性はほとんどない。
2008096417.tif 000002
【特許請求の範囲】
【請求項１】
コンテンツリストを表示する画面を有する表示手段と、
前記画面のサイズに基づき、１つの前記画面に表示可能なコンテンツリストの範囲を決定する表示範囲決定手段と、
決定した前記範囲のコンテンツリストの取得を要求する要求手段と、
要求した前記コンテンツリストを受信する通信手段と、
前記通信手段が受信したコンテンツリストを、前記表示手段に表示する表示制御手段と、を具備するコンテンツリスト表示装置。
【請求項２】
前記表示範囲決定手段は、１つの前記画面に画像として表示可能な前記コンテンツリストの範囲を決定する請求項１記載のコンテンツリスト表示装置。
【請求項３】
前記表示範囲決定手段は、１つの前記画面に画像及び文字として同時に表示可能な前記コンテンツリストの範囲を決定する請求項１記載のコンテンツリスト表示装置。
【請求項４】
前記要求手段は、前記表示範囲決定手段で決定した１つの前記画面に表示可能なコンテンツリストの前若しくは後に連続するコンテンツリストで且つ１つの前記画面に表示可能なコンテンツリストの取得を要求し、
前記通信手段は、前記表示範囲決定手段で決定した１つの前記画面に表示可能なコンテンツリストを受信した後に、前記前若しくは後に連続するコンテンツリストを受信する、請求項１記載のコンテンツリスト表示装置。
【請求項５】
コンテンツリストを表示する画面のサイズに基づき、１つの前記画面に表示可能なコンテンツリストの範囲を決定する表示範囲決定ステップと、
決定した前記範囲のコンテンツリストの取得を要求する要求ステップと、
要求した前記コンテンツリストを受信する通信ステップと、
前記通信ステップで受信したコンテンツリストを表示する表示制御ステップと、を具備するコンテンツリスト表示方法。
【発明の詳細な説明】
【技術分野】
【０００１】
本発明は、コンテンツリスト表示装置およびコンテンツリスト表示方法に関する。
【背景技術】
【０００２】
図１は、コンテンツリスト表示装置を備えた携帯端末通信装置を含む通信システムの一般的な構成を示す図である。【０００３】
図１に示すように、携帯端末通信装置を含む通信システム１００については、携帯通信端末装置１０１が、無線ＬＡＮ１０２によりアクセスポイント１０３にアクセスし、アクセスポイント１０３が接続されているコンテンツサーバ１０４に所望のコンテンツを指定し、指定したコンテンツのコンテンツリストを取得し、取得したコンテンツリストを表示する通信システムが公知である。【０００４】
図２は、公知の通信システムの問題点を詳しく説明するための模式図である。図２に示すように、携帯通信端末装置２０１は、所定の検索条件を設定し、コンテンツサーバ２０２に対し、検索条件に合致するコンテンツリストの送信を要求したとする。この場合、コンテンツサーバ２０２は、検索条件に合致したコンテンツリスト２０３を携帯通信端末装置２０１に送信する（例えば、特許文献１参照）。
【特許文献１】特開２００６−２４１９６号公報
【発明の開示】
【発明が解決しようとする課題】
【０００５】
しかしながら、特許文献１の通信システムにあっては、設定された検索条件により、コンテンツリスト２０３は、数件の少量の場合もあるが、数百件以上の膨大な容量のものである場合もある。コンテンツリスト２０３は、複数のＩＰパケットとして送信されるので、この送信途中において、例えば無線干渉などの不具合により、パケットが消失すると、ＴＣＰ／ＩＰプロトコルに従い、コンテンツリスト２０３は再送される。【０００６】
コンテンツリスト２０３について再送が必要になると、送信制御の遅延が発生し、１つのコンテンツリストデータの取得に時間がかかり、携帯通信端末装置２０１の利用者へのサービスが低下するという問題がある。【０００７】
また、携帯通信端末装置２０１は、コンテンツリスト２０３のデータ全体の取得が完了しないと、取得したデータの解析を行うことができず、従って、受信したコンテンツリスト２０３の表示ができない。受信したコンテンツリスト２０３の容量が膨大な場合には、コンテンツリスト２０３の取得完了までに時間がかかり、携帯通信端末装置２０１の利用者へのサービスが低下するという問題がある。【０００８】
加えて、従来の携帯通信端末装置２０１が、その表示部の表示画面に表示できる以上の容量のコンテンツリスト２０３を受信する場合には、表示部の画面サイズには限度があるので、受信するコンテンツリスト２０３の全部は、表示部に一度には表示できない。すなわち、従来の携帯通信端末装置２０１は、表示部の画面サイズを無視して一律にコンテンツリストを受信するために、前述の再送のための送信制御の遅延が発生する可能性が増大し、あるいは受信したコンテンツリスト２０３の解析に時間がかかるなど、携帯通信端末装置２０１の利用者へのサービスが低下するという問題がある。又、この場合、取得したコンテンツリストを記憶するメモリの容量が大きくなるという問題がある。【０００９】
本発明の目的は、コンテンツリストを高速に表示することができ、またメモリの容量を少なくすることができるコンテンツリスト表示装置およびコンテンツリスト制御方法を提供することにある。
【課題を解決するための手段】
【００１０】
かかる課題を解決するため本発明のコンテンツリスト表示装置は、コンテンツリストを表示する画面を有する表示手段と、前記画面のサイズである画面サイズに基づき、前記画面に表示するコンテンツリストの範囲を示す情報であるコンテンツリスト表示範囲情報を決定する表示範囲決定手段と、前記コンテンツリスト表示範囲情報に対応したコンテンツリストを受信する通信手段と、前記通信手段が受信したコンテンツリストを、前記表示手段に表示するための表示制御手段と、を具備する構成を採る。【００１１】
また、本発明のコンテンツリスト表示方法は、コンテンツリストを表示する画面のサイズに基づき、１つの前記画面に表示可能なコンテンツリストの範囲を決定する表示範囲決定ステップと、決定した前記範囲のコンテンツリストの取得を要求する要求ステップと、要求した前記コンテンツリストを受信する通信ステップと、前記通信ステップで受信したコンテンツリストを表示する表示制御ステップと、具備するようにした。
【発明の効果】
【００１２】
本発明によれば、コンテンツリストを高速に表示することができ、またメモリの容量を少なくすることができるコンテンツリスト表示装置およびコンテンツリスト制御方法を提供することができる。
【図面の簡単な説明】
【００１３】
【図１】一般的な通信システムの構成を示す構成図
【図２】従来の通信システムの問題点を説明するための模式図
【図３】本発明の実施の形態に係る通信システムの構成を示すブロック図
【図４】本発明の実施の形態に係る通信システムの動作を示すシーケンス図
【図５】コンテンツリストの表示例を示す図
【図６】コンテンツリストの詳細を示す図
【図７】コンテンツ情報の記憶動作を説明するための図
【発明を実施するための最良の形態】
【００１４】
以下、本発明の実施の形態について図面を参照して詳細に説明する。【００１５】
（実施の形態）
図３は、本発明の実施の形態に係る通信システムの構成を示す図である。図３に置いて、通信システム３００は、携帯通信端末装置３１０とサーバ装置３５０とから主に構成される。【００１６】
最初に携帯通信端末装置３１０の構成について説明する。【００１７】
図３において、携帯通信端末装置３１０は、本発明の実施形態に係るコンテンツリスト表示装置を構成している。携帯通信端末装置３１０は、操作入力部３１１と、コンテンツ情報操作部３１２と、表示範囲決定部３１３と、表示制御部３１４と、表示部３１５と、通信部３１６と、コンテンツ情報記憶部３１７とから主に構成されている。【００１８】
操作入力部３１１は、コンテンツリストの送信要求指令をコンテンツ情報操作部３１２に出力する。コンテンツ情報操作部３１２は、操作入力部３１１からのコンテンツリストの送信要求指令に従い、表示範囲決定部３１３にコンテンツリストの表示範囲の決定指令を出力する。表示範囲決定部３１３は、コンテンツ情報操作部３１２からの決定指令の出力に従い、表示制御部３１４から表示部３１５の表示画面のサイズ（以下、画面サイズという。）を入力し、画面サイズに応じたコンテンツリストの表示範囲を決定する。表示制御部３１４は、表示部３１５の表示部の画面サイズを検出し表示範囲決定部３１３に出力するとともに、後述するように、受信したコンテンツリストを表示部３１５に表示する。表示部３１５は、表示制御部３１４の制御によりコンテンツリストを表示するための制御を行う。【００１９】
通信部３１６は表示範囲決定部３１３で決定した表示範囲に対応するコンテンツリストの送信を、サーバ装置３５０に要求する。また通信部３１６は、サーバ装置３５０が送信したコンテンツリストを受信し、コンテンツ情報記憶部３１７に出力する。コンテンツ情報記憶部３１７は、通信部３１６が出力するコンテンツリスト情報を逐次記憶する。【００２０】
次に、サーバ装置３５０の構成について説明する。【００２１】
サーバ装置３５０は、通信部３５１と、制御部３５２と、コンテンツリスト生成部３５３と、コンテンツ保持部３５４とから主に構成される。【００２２】
通信部３５１は、携帯通信端末装置３１０の通信部３１６から受信したコンテンツリスト取得の要求を制御部３５２に出力とともに、後述するように制御部３５２から入力するコンテンツリストを携帯通信端末装置３１０に送信する。制御部３５２は、通信部３５１から入力したコンテンツリスト取得の要求に基づき、コンテンツリスト生成指令をコンテンツリスト生成部３５３に出力する。コンテンツリスト生成部３５３は、制御部３５２の制御に従い、コンテンツ保持部３５４が記憶しているコンテンツの内容を示すコンテンツリストを生成し、制御部３５２に出力する。コンテンツ保持部３５４は、多数のコンテンツの内容を記憶している。【００２３】
図４は、通信システム３００の動作を示すシーケンス図である。以下、図３および図４に基づき、通信システム３００の動作を説明する。【００２４】
携帯通信端末装置３１０の利用者が操作入力部３１１を操作し、操作入力部３１１がコンテンツリスト表示指示指令をコンテンツ情報操作部３１２に出力した（ＳＴ４０１）とする。【００２５】
次にコンテンツリスト表示指示指令に応じてコンテンツ情報操作部３１２は、表示範囲決定部３１３にコンテンツリストの表示範囲の決定を指令する。表示範囲決定部３１３は、表示制御部３１４から表示部３１５の表示画面の画面サイズを入力し、表示部３１５の１画面に表示可能なコンテンツリストの範囲を決定し、決定した表示可能なコンテンツリストの範囲を示す情報（以下、コンテンツリスト表示範囲情報という。）を、通信部３１６に出力する。この場合、コンテンツリストは、画像として表示部３１５に表示可能なデータ、文字として表示部３１５に表示可能なデータ、または画像及び文字として同時に表示部３１５に表示可能なデータである。【００２６】
次に、通信部３１６は、コンテンツリスト表示範囲情報の範囲のコンテンツリストの取得を要求するコンテンツリスト取得要求をサーバ装置３５０に送信する（ＳＴ４０２）。【００２７】
コンテンツリスト取得要求は、次のパラメータを含んで構成される。すなわち、コンテンツリストの取得対象のディレクトリ等を示すＩＤ情報を示すパラメータであるＯｂｊｅｃｔ  Ｉｄと、取得を要求するコンテンツリストの開始点を示すパラメータであるＳｔａｒｔｉｎｇＩｎｄｅｘと、取得を要求するコンテンツ情報の数を示すパラメータであるＲｅｑｕｅｓｔＣｏｕｎｔを含む。【００２８】
ＳＴ４０２のコンテンツリスト取得要求は、サーバ装置３５０で受信され、通信部３５１を介して制御部３５２が受信する。【００２９】
制御部３５２は、コンテンツリスト生成部３５３にコンテツリストの生成を指令する。次に、コンテンツリスト生成部３５３は、コンテンツ保持部３５４からコンテンツリスト情報を入力してコンテンツリストを生成し、制御部３５２に出力する。【００３０】
次に、制御部３５２は、コンテンツリスト取得応答を通信部３５１に出力する。なお、このコンテツリスト取得応答には、返却されるコンテンツ情報の数であるＮｕｍｂｅｒＲｅｔｕｒｎｅｄおよび該当するディレクトリに含まれるコンテンツの総数であるＴｏｔａｌＭａｔｃｈｅｓの２つのパラメータを含む。【００３１】
次に通信部３５１は、コンテンツリストを携帯通信端末装置３１０に送信する（ＳＴ４０３）。【００３２】
次に、携帯通信端末装置３１０は、受信したコンテンツリストを表示する（ＳＴ４０４）。【００３３】
具体的には、受信したコンテンツリストは、通信部３１６で受信され、コンテンツ情報記憶部３１７に記憶される。コンテンツ情報記憶部３１７は、コンテンツ情報操作部３１２を介してコンテンツリストを表示制御部３１４に出力する。【００３４】
表示制御部３１４は、入力したコンテンツリストを表示部３１５に出力し、表示部３１５は、コンテンツリストを表示する。【００３５】
以上のようにして、表示部３１５は、表示部３１５の１画面分に相当するコンテンツリストを表示する。【００３６】
コンテンツリストの表示は、色々な態様により行われる。図５は、表示の態様の代表例を例示する。図５において、参照符号５０１で示す例示（以下、例示５０１という。以下、例示について同様に表示する。）は、テキスト情報でコンテンツリストが表示される場合を示す。例示５０２は、テキスト情報とサムネイル情報とでコンテンツリストを表示する場合を示す。例示５０３は、複数のサムネイル情報でコンテンツリストを表示する。例示５０４は、ディレクトリ階層構造でコンテンツリストを示す。例示５０５は、少数のテキスト情報によるコンテンツリストと、選択されたコンテンツリスト（例示５０５では、ＡＡＡＡＡＡＡＡとして示す。）の詳細情報とでコンテンツリスト表示する。ここで、サムネイル情報とは、多数の画像を一覧表示するために縮小された画像情報をいう。【００３７】
図６は、サーバ装置３５０が携帯通信端末装置３１０に送信するコンテンツリスト情報の一例を示す。図６において、コンテンツリスト情報は、ＸＭＬ（Extensible Markup Language）により記述されている。具体的には、図６に示すコンテンツリストは、２個のコンテンツに関する情報６０１および６０２を含んでいる。表示部３１５には、参照符号６０３で示すタイトル（ｔｉｔｌｅ２）がテキスト情報で表示される。【００３８】
図４に戻って、次に１画面分のコンテンツリストの表示（ＳＴ４０４）が完了すると、次に、表示範囲決定部３１３は、後に詳しく説明するように、通信部３１６を介して、次の画面のコンテンツリスト取得要求をサーバ装置３５０に送信する（ＳＴ４０５）。次に、サーバ装置３５０は、ＳＴ４０５で送信した要求に対応するコンテンツリストを携帯通信端末装置３１０に送信する（ＳＴ４０６）。通信部３１６は、当該対応するコンテンツリストを受信し、コンテンツ情報記憶部３１７に出力し、コンテンツ情報記憶部３１７が記憶する。【００３９】
このようにして、携帯通信端末装置３１０は、表示部３１５にコンテンツリストを表示する制御をしているタイミングのバックグランドで動作して、現在表示している画面の次の画面のコンテンツリスト情報をコンテンツ情報記憶部３１７に記憶する。【００４０】
次に、表示範囲決定部３１３は、通信部３１６を介して、現在表示している画面の前の画面のコンテンツリスト取得要求をサーバ装置３５０に送信する（ＳＴ４０７）。次に、サーバ装置３５０は、ＳＴ４０７で送信した要求に対応するコンテンツリスト情報を携帯通信端末装置３１０に送信する（ＳＴ４０８）。このＳＴ４０８に対応して、通信部３１６は、当該対応するコンテンツリスト情報を受信し、コンテンツ情報記憶部３１７に出力し、コンテンツ情報記憶部３１７が記憶する。【００４１】
前述した表示範囲決定部３１３のバックグランドの動作によりコンテンツ情報を記憶する動作を、図７に基づき具体的に説明する。図７は、サーバ装置３５０のコンテンツリスト生成部３５３が作成したコンテンツリストが、携帯通信端末装置３１０の表示部３１５の画面サイズを単位として、コンテンツ情報記憶部３１７に記憶された様子を示す。【００４２】
図７において、最初、携帯通信端末装置３１０は、表示部３１５が現在のコンテンツリスト７０１を表示していたとする。また、サーバ装置３５０のコンテンツリスト生成部３５３は、ＡＡＡＡＡＡＡＡからＯＯＯＯＯＯＯＯまでのＮ個のコンテンツについてのコンテンツリストを作成していたとする。この状態で、表示範囲決定部３１３は、表示制御部３１４がＡＡＡＡＡＡＡＡないしＧＧＧＧＧＧＧＧＧで示す７個の連続するコンテンツのリスト７０１の表示が完了すると直ちに、参照符号７０２で示す、次に連続するＨＨＨＨＨＨＨＨないしＮＮＮＮＮＮＮＮで示す７個のコンテンツのコンテンツリストの取得要求を通信部３１６に送信する。これに応じて、サーバ装置３５０は、コンテンツリスト生成部３５３で作成した対応するコンテンツ情報を携帯通信端末装置３１０に送信する。これに伴い、コンテンツ情報記憶部３１７は、コンテンツリスト７０２を記憶する。次に、表示範囲決定部３１３はコンテンツリスト７０２の取得が完了すると直ちに、かつ自動的に、現在表示されているコンテンツリスト７０１の前に連続するＴＴＴＴＴＴＴＴないしＺＺＺＺＺＺＺＺで示す７個のコンテンツリスト７０３の取得要求を通信部３１６に送信し、以下コンテンツリスト７０２の場合と同様の動作により、コンテンツ情報記憶部３１７は、コンテンツリスト７０３を記憶する。【００４３】
このように、携帯通信端末装置３１０は、現在表示されているコンテンツリスト（図７では、７０１）を表示する制御のバックグランドで、自動的に次の画面（図７では、７０２）および前の画面（図７では、７０３）に表示可能なコンテンツリストを取得し、コンテンツ情報記憶部３１７に予め記憶する。このようにして携帯通信端末装置３１０の利用者が、コンテンツリスト７０２あるいは７０３の取得を望む場合は、サーバ装置３５０にアクセスすることなく直ちに該当コンテンツリストを表示部３１５に表示することができる。携帯通信端末装置３１０の利用者は、一般的に、現在表示されているコンテンツリストの連続する前後のコンテンツリストを閲覧する可能性が高いことが想定されるので、携帯通信端末装置３１０は、利用者へのサービス向上において大きな効果を奏する。【００４４】
以上のように本実施の形態にかかる携帯通信端末装置のコンテンツリスト表示においては、コンテンツリストを高速に表示することができ、またメモリの容量を少なくすることができる。すなわち本実施の形態にかかる携帯通信端末装置によれば、表示部の画面サイズに応じて表示するコンテンツリストの容量を決定するので、コンテンツリストデータが不必要に膨大になることは無く、携帯通信端末装置３１０およびサーバ装置３５０間で再送が必要になった場合も、短時間で再送を完了することができる。【００４５】
また、本実施の形態にかかる携帯通信端末装置のコンテンツリスト表示においては、バックグランドでコンテンツリストを取得するので、無線ＬＡＮの無線干渉などが原因でコンテンツリストの再送が必要になった場合も、再送はバックグランドの期間で終了するのがほとんどの場合と想定し得るので、利用者は所望のコンテンツリストを直ちに表示することができ利用者の操作性は向上する。特に、テキスト情報でコンテンツリストを生成する場合（図５の参照符号５０１で示す場合）に比べて格段にコンテンツリストの容量が大きくなる、サムネイル情報を用いてコンテンツリストを生成する場合（図５の参照符号５０２および５０３で示す場合）に有効である。
【産業上の利用可能性】
【００４６】
本発明は、表示画面の画面サイズに応じたコンテンツリストを取得し表示するコンテンツリスト表示装置およびコンテンツリスト表示方法に適用することができる。
【図１】
2008096417.tif 000003
【図２】
2008096417.tif 000004
【図３】
2008096417.tif 000005
【図４】
2008096417.tif 000006
【図５】
2008096417.tif 000007
【図６】
2008096417.tif 000008
【図７】
2008096417.tif 000009
【手続補正書】
【提出日】平成21年6月10日(2009.6.10)
【手続補正１】
【補正対象書類名】特許請求の範囲
【補正対象項目名】全文
【補正方法】変更
【補正の内容】
【特許請求の範囲】
【請求項１】
コンテンツリストを表示する画面を有する表示手段と、
前記画面のサイズに基づき、１つの前記画面に表示可能なコンテンツリストの範囲を決定する表示範囲決定手段と、
決定した前記範囲のコンテンツリストの取得を要求する要求手段と、
要求した前記コンテンツリストを受信する通信手段と、
前記通信手段が受信したコンテンツリストを、前記表示手段に表示する表示制御手段と、
を具備するコンテンツリスト表示装置。
【請求項２】
前記表示範囲決定手段は、１つの前記画面に画像として表示可能な前記コンテンツリストの範囲を決定する請求項１記載のコンテンツリスト表示装置。
【請求項３】
前記表示範囲決定手段は、１つの前記画面に画像及び文字として同時に表示可能な前記コンテンツリストの範囲を決定する請求項１記載のコンテンツリスト表示装置。
【請求項４】
前記要求手段は、前記表示範囲決定手段で決定した１つの前記画面に表示可能なコンテンツリストの前若しくは後に連続するコンテンツリストで且つ１つの前記画面に表示可能なコンテンツリストの取得を要求し、
前記通信手段は、前記表示範囲決定手段で決定した１つの前記画面に表示可能なコンテンツリストを受信した後に、前記前若しくは後に連続するコンテンツリストを受信する、請求項１記載のコンテンツリスト表示装置。
【請求項５】
コンテンツリストを表示する画面のサイズに基づき、１つの前記画面に表示可能なコンテンツリストの範囲を決定する表示範囲決定ステップと、
決定した前記範囲のコンテンツリストの取得を要求する要求ステップと、
要求した前記コンテンツリストを受信する通信ステップと、
前記通信ステップで受信したコンテンツリストを表示する表示制御ステップと、
を具備するコンテンツリスト表示方法。
【手続補正２】
【補正対象書類名】明細書
【補正対象項目名】全文
【補正方法】変更
【補正の内容】
【発明の詳細な説明】
【技術分野】
【０００１】
本発明は、コンテンツリスト表示装置およびコンテンツリスト表示方法に関する。
【背景技術】
【０００２】
図１は、コンテンツリスト表示装置を備えた携帯端末通信装置を含む通信システムの一般的な構成を示す図である。
【０００３】
図１に示すように、携帯端末通信装置を含む通信システム１００については、携帯通信端末装置１０１が、無線ＬＡＮ１０２によりアクセスポイント１０３にアクセスし、アクセスポイント１０３が接続されているコンテンツサーバ１０４に所望のコンテンツを指定し、指定したコンテンツのコンテンツリストを取得し、取得したコンテンツリストを表示する通信システムが公知である。
【０００４】
図２は、公知の通信システムの問題点を詳しく説明するための模式図である。図２に示すように、携帯通信端末装置２０１は、所定の検索条件を設定し、コンテンツサーバ２０２に対し、検索条件に合致するコンテンツリストの送信を要求したとする。この場合、コンテンツサーバ２０２は、検索条件に合致したコンテンツリスト２０３を携帯通信端末装置２０１に送信する（例えば、特許文献１参照）。
【特許文献１】特開２００６−２４１９６号公報
【発明の開示】
【発明が解決しようとする課題】
【０００５】
しかしながら、特許文献１の通信システムにあっては、設定された検索条件により、コンテンツリスト２０３は、数件の少量の場合もあるが、数百件以上の膨大な容量のものである場合もある。コンテンツリスト２０３は、複数のＩＰパケットとして送信されるので、この送信途中において、例えば無線干渉などの不具合により、パケットが消失すると、ＴＣＰ／ＩＰプロトコルに従い、コンテンツリスト２０３は再送される。
【０００６】
コンテンツリスト２０３について再送が必要になると、送信制御の遅延が発生し、１つのコンテンツリストデータの取得に時間がかかり、携帯通信端末装置２０１の利用者へのサービスが低下するという問題がある。
【０００７】
また、携帯通信端末装置２０１は、コンテンツリスト２０３のデータ全体の取得が完了しないと、取得したデータの解析を行うことができず、従って、受信したコンテンツリスト２０３の表示ができない。受信したコンテンツリスト２０３の容量が膨大な場合には、コンテンツリスト２０３の取得完了までに時間がかかり、携帯通信端末装置２０１の利用者へのサービスが低下するという問題がある。
【０００８】
加えて、従来の携帯通信端末装置２０１が、その表示部の表示画面に表示できる以上の容量のコンテンツリスト２０３を受信する場合には、表示部の画面サイズには限度があるので、受信するコンテンツリスト２０３の全部は、表示部に一度には表示できない。すなわち、従来の携帯通信端末装置２０１は、表示部の画面サイズを無視して一律にコンテンツリストを受信するために、前述の再送のための送信制御の遅延が発生する可能性が増大し、あるいは受信したコンテンツリスト２０３の解析に時間がかかるなど、携帯通信端末装置２０１の利用者へのサービスが低下するという問題がある。又、この場合、取得したコンテンツリストを記憶するメモリの容量が大きくなるという問題がある。
【０００９】
本発明の目的は、コンテンツリストを高速に表示することができ、またメモリの容量を少なくすることができるコンテンツリスト表示装置およびコンテンツリスト制御方法を提供することにある。
【課題を解決するための手段】
【００１０】
かかる課題を解決するため本発明のコンテンツリスト表示装置は、コンテンツリストを表示する画面を有する表示手段と、前記画面のサイズである画面サイズに基づき、前記画面に表示するコンテンツリストの範囲を示す情報であるコンテンツリスト表示範囲情報を決定する表示範囲決定手段と、前記コンテンツリスト表示範囲情報に対応したコンテンツリストを受信する通信手段と、前記通信手段が受信したコンテンツリストを、前記表示手段に表示するための表示制御手段と、を具備する構成を採る。
【００１１】
また、本発明のコンテンツリスト表示方法は、コンテンツリストを表示する画面のサイズに基づき、１つの前記画面に表示可能なコンテンツリストの範囲を決定する表示範囲決定ステップと、決定した前記範囲のコンテンツリストの取得を要求する要求ステップと、要求した前記コンテンツリストを受信する通信ステップと、前記通信ステップで受信したコンテンツリストを表示する表示制御ステップと、具備するようにした。
【発明の効果】
【００１２】
本発明によれば、コンテンツリストを高速に表示することができ、またメモリの容量を少なくすることができるコンテンツリスト表示装置およびコンテンツリスト制御方法を提供することができる。
【発明を実施するための最良の形態】
【００１３】
以下、本発明の実施の形態について図面を参照して詳細に説明する。
【００１４】
（実施の形態）
図３は、本発明の実施の形態に係る通信システムの構成を示す図である。図３に置いて、通信システム３００は、携帯通信端末装置３１０とサーバ装置３５０とから主に構成される。
【００１５】
最初に携帯通信端末装置３１０の構成について説明する。
【００１６】
図３において、携帯通信端末装置３１０は、本発明の実施形態に係るコンテンツリスト表示装置を構成している。携帯通信端末装置３１０は、操作入力部３１１と、コンテンツ情報操作部３１２と、表示範囲決定部３１３と、表示制御部３１４と、表示部３１５と、通信部３１６と、コンテンツ情報記憶部３１７とから主に構成されている。
【００１７】
操作入力部３１１は、コンテンツリストの送信要求指令をコンテンツ情報操作部３１２に出力する。コンテンツ情報操作部３１２は、操作入力部３１１からのコンテンツリストの送信要求指令に従い、表示範囲決定部３１３にコンテンツリストの表示範囲の決定指令
を出力する。表示範囲決定部３１３は、コンテンツ情報操作部３１２からの決定指令の出力に従い、表示制御部３１４から表示部３１５の表示画面のサイズ（以下、画面サイズという。）を入力し、画面サイズに応じたコンテンツリストの表示範囲を決定する。表示制御部３１４は、表示部３１５の表示部の画面サイズを検出し表示範囲決定部３１３に出力するとともに、後述するように、受信したコンテンツリストを表示部３１５に表示する。表示部３１５は、表示制御部３１４の制御によりコンテンツリストを表示するための制御を行う。
【００１８】
通信部３１６は表示範囲決定部３１３で決定した表示範囲に対応するコンテンツリストの送信を、サーバ装置３５０に要求する。また通信部３１６は、サーバ装置３５０が送信したコンテンツリストを受信し、コンテンツ情報記憶部３１７に出力する。コンテンツ情報記憶部３１７は、通信部３１６が出力するコンテンツリスト情報を逐次記憶する。
【００１９】
次に、サーバ装置３５０の構成について説明する。
【００２０】
サーバ装置３５０は、通信部３５１と、制御部３５２と、コンテンツリスト生成部３５３と、コンテンツ保持部３５４とから主に構成される。
【００２１】
通信部３５１は、携帯通信端末装置３１０の通信部３１６から受信したコンテンツリスト取得の要求を制御部３５２に出力とともに、後述するように制御部３５２から入力するコンテンツリストを携帯通信端末装置３１０に送信する。制御部３５２は、通信部３５１から入力したコンテンツリスト取得の要求に基づき、コンテンツリスト生成指令をコンテンツリスト生成部３５３に出力する。コンテンツリスト生成部３５３は、制御部３５２の制御に従い、コンテンツ保持部３５４が記憶しているコンテンツの内容を示すコンテンツリストを生成し、制御部３５２に出力する。コンテンツ保持部３５４は、多数のコンテンツの内容を記憶している。
【００２２】
図４は、通信システム３００の動作を示すシーケンス図である。以下、図３および図４に基づき、通信システム３００の動作を説明する。
【００２３】
携帯通信端末装置３１０の利用者が操作入力部３１１を操作し、操作入力部３１１がコンテンツリスト表示指示指令をコンテンツ情報操作部３１２に出力した（ＳＴ４０１）とする。
【００２４】
次にコンテンツリスト表示指示指令に応じてコンテンツ情報操作部３１２は、表示範囲決定部３１３にコンテンツリストの表示範囲の決定を指令する。表示範囲決定部３１３は、表示制御部３１４から表示部３１５の表示画面の画面サイズを入力し、表示部３１５の１画面に表示可能なコンテンツリストの範囲を決定し、決定した表示可能なコンテンツリストの範囲を示す情報（以下、コンテンツリスト表示範囲情報という。）を、通信部３１６に出力する。この場合、コンテンツリストは、画像として表示部３１５に表示可能なデータ、文字として表示部３１５に表示可能なデータ、または画像及び文字として同時に表示部３１５に表示可能なデータである。
【００２５】
次に、通信部３１６は、コンテンツリスト表示範囲情報の範囲のコンテンツリストの取得を要求するコンテンツリスト取得要求をサーバ装置３５０に送信する（ＳＴ４０２）。
【００２６】
コンテンツリスト取得要求は、次のパラメータを含んで構成される。すなわち、コンテンツリストの取得対象のディレクトリ等を示すＩＤ情報を示すパラメータであるＯｂｊｅｃｔ  Ｉｄと、取得を要求するコンテンツリストの開始点を示すパラメータであるＳｔａｒｔｉｎｇＩｎｄｅｘと、取得を要求するコンテンツ情報の数を示すパラメータであるＲ
ｅｑｕｅｓｔＣｏｕｎｔを含む。
【００２７】
ＳＴ４０２のコンテンツリスト取得要求は、サーバ装置３５０で受信され、通信部３５１を介して制御部３５２が受信する。
【００２８】
制御部３５２は、コンテンツリスト生成部３５３にコンテツリストの生成を指令する。次に、コンテンツリスト生成部３５３は、コンテンツ保持部３５４からコンテンツリスト情報を入力してコンテンツリストを生成し、制御部３５２に出力する。
【００２９】
次に、制御部３５２は、コンテンツリスト取得応答を通信部３５１に出力する。なお、このコンテツリスト取得応答には、返却されるコンテンツ情報の数であるＮｕｍｂｅｒＲｅｔｕｒｎｅｄおよび該当するディレクトリに含まれるコンテンツの総数であるＴｏｔａｌＭａｔｃｈｅｓの２つのパラメータを含む。
【００３０】
次に通信部３５１は、コンテンツリストを携帯通信端末装置３１０に送信する（ＳＴ４０３）。
【００３１】
次に、携帯通信端末装置３１０は、受信したコンテンツリストを表示する（ＳＴ４０４）。
【００３２】
具体的には、受信したコンテンツリストは、通信部３１６で受信され、コンテンツ情報記憶部３１７に記憶される。コンテンツ情報記憶部３１７は、コンテンツ情報操作部３１２を介してコンテンツリストを表示制御部３１４に出力する。
【００３３】
表示制御部３１４は、入力したコンテンツリストを表示部３１５に出力し、表示部３１５は、コンテンツリストを表示する。
【００３４】
以上のようにして、表示部３１５は、表示部３１５の１画面分に相当するコンテンツリストを表示する。
【００３５】
コンテンツリストの表示は、色々な態様により行われる。図５は、表示の態様の代表例を例示する。図５において、参照符号５０１で示す例示（以下、例示５０１という。以下、例示について同様に表示する。）は、テキスト情報でコンテンツリストが表示される場合を示す。例示５０２は、テキスト情報とサムネイル情報とでコンテンツリストを表示する場合を示す。例示５０３は、複数のサムネイル情報でコンテンツリストを表示する。例示５０４は、ディレクトリ階層構造でコンテンツリストを示す。例示５０５は、少数のテキスト情報によるコンテンツリストと、選択されたコンテンツリスト（例示５０５では、ＡＡＡＡＡＡＡＡとして示す。）の詳細情報とでコンテンツリスト表示する。ここで、サムネイル情報とは、多数の画像を一覧表示するために縮小された画像情報をいう。
【００３６】
図６は、サーバ装置３５０が携帯通信端末装置３１０に送信するコンテンツリスト情報の一例を示す。図６において、コンテンツリスト情報は、ＸＭＬ（Extensible Markup Language）により記述されている。具体的には、図６に示すコンテンツリストは、２個のコンテンツに関する情報６０１および６０２を含んでいる。表示部３１５には、参照符号６０３で示すタイトル（ｔｉｔｌｅ２）がテキスト情報で表示される。
【００３７】
図４に戻って、次に１画面分のコンテンツリストの表示（ＳＴ４０４）が完了すると、次に、表示範囲決定部３１３は、後に詳しく説明するように、通信部３１６を介して、次の画面のコンテンツリスト取得要求をサーバ装置３５０に送信する（ＳＴ４０５）。次に、サーバ装置３５０は、ＳＴ４０５で送信した要求に対応するコンテンツリストを携帯通
信端末装置３１０に送信する（ＳＴ４０６）。通信部３１６は、当該対応するコンテンツリストを受信し、コンテンツ情報記憶部３１７に出力し、コンテンツ情報記憶部３１７が記憶する。
【００３８】
このようにして、携帯通信端末装置３１０は、表示部３１５にコンテンツリストを表示する制御をしているタイミングのバックグランドで動作して、現在表示している画面の次の画面のコンテンツリスト情報をコンテンツ情報記憶部３１７に記憶する。
【００３９】
次に、表示範囲決定部３１３は、通信部３１６を介して、現在表示している画面の前の画面のコンテンツリスト取得要求をサーバ装置３５０に送信する（ＳＴ４０７）。次に、サーバ装置３５０は、ＳＴ４０７で送信した要求に対応するコンテンツリスト情報を携帯通信端末装置３１０に送信する（ＳＴ４０８）。このＳＴ４０８に対応して、通信部３１６は、当該対応するコンテンツリスト情報を受信し、コンテンツ情報記憶部３１７に出力し、コンテンツ情報記憶部３１７が記憶する。
【００４０】
前述した表示範囲決定部３１３のバックグランドの動作によりコンテンツ情報を記憶する動作を、図７に基づき具体的に説明する。図７は、サーバ装置３５０のコンテンツリスト生成部３５３が作成したコンテンツリストが、携帯通信端末装置３１０の表示部３１５の画面サイズを単位として、コンテンツ情報記憶部３１７に記憶された様子を示す。
【００４１】
図７において、最初、携帯通信端末装置３１０は、表示部３１５が現在のコンテンツリスト７０１を表示していたとする。また、サーバ装置３５０のコンテンツリスト生成部３５３は、ＡＡＡＡＡＡＡＡからＯＯＯＯＯＯＯＯまでのＮ個のコンテンツについてのコンテンツリストを作成していたとする。この状態で、表示範囲決定部３１３は、表示制御部３１４がＡＡＡＡＡＡＡＡないしＧＧＧＧＧＧＧＧＧで示す７個の連続するコンテンツのリスト７０１の表示が完了すると直ちに、参照符号７０２で示す、次に連続するＨＨＨＨＨＨＨＨないしＮＮＮＮＮＮＮＮで示す７個のコンテンツのコンテンツリストの取得要求を通信部３１６に送信する。これに応じて、サーバ装置３５０は、コンテンツリスト生成部３５３で作成した対応するコンテンツ情報を携帯通信端末装置３１０に送信する。これに伴い、コンテンツ情報記憶部３１７は、コンテンツリスト７０２を記憶する。次に、表示範囲決定部３１３はコンテンツリスト７０２の取得が完了すると直ちに、かつ自動的に、現在表示されているコンテンツリスト７０１の前に連続するＴＴＴＴＴＴＴＴないしＺＺＺＺＺＺＺＺで示す７個のコンテンツリスト７０３の取得要求を通信部３１６に送信し、以下コンテンツリスト７０２の場合と同様の動作により、コンテンツ情報記憶部３１７は、コンテンツリスト７０３を記憶する。
【００４２】
このように、携帯通信端末装置３１０は、現在表示されているコンテンツリスト（図７では、７０１）を表示する制御のバックグランドで、自動的に次の画面（図７では、７０２）および前の画面（図７では、７０３）に表示可能なコンテンツリストを取得し、コンテンツ情報記憶部３１７に予め記憶する。このようにして携帯通信端末装置３１０の利用者が、コンテンツリスト７０２あるいは７０３の取得を望む場合は、サーバ装置３５０にアクセスすることなく直ちに該当コンテンツリストを表示部３１５に表示することができる。携帯通信端末装置３１０の利用者は、一般的に、現在表示されているコンテンツリストの連続する前後のコンテンツリストを閲覧する可能性が高いことが想定されるので、携帯通信端末装置３１０は、利用者へのサービス向上において大きな効果を奏する。
【００４３】
以上のように本実施の形態にかかる携帯通信端末装置のコンテンツリスト表示においては、コンテンツリストを高速に表示することができ、またメモリの容量を少なくすることができる。すなわち本実施の形態にかかる携帯通信端末装置によれば、表示部の画面サイズに応じて表示するコンテンツリストの容量を決定するので、コンテンツリストデータが
不必要に膨大になることは無く、携帯通信端末装置３１０およびサーバ装置３５０間で再送が必要になった場合も、短時間で再送を完了することができる。
【００４４】
また、本実施の形態にかかる携帯通信端末装置のコンテンツリスト表示においては、バックグランドでコンテンツリストを取得するので、無線ＬＡＮの無線干渉などが原因でコンテンツリストの再送が必要になった場合も、再送はバックグランドの期間で終了するのがほとんどの場合と想定し得るので、利用者は所望のコンテンツリストを直ちに表示することができ利用者の操作性は向上する。特に、テキスト情報でコンテンツリストを生成する場合（図５の参照符号５０１で示す場合）に比べて格段にコンテンツリストの容量が大きくなる、サムネイル情報を用いてコンテンツリストを生成する場合（図５の参照符号５０２および５０３で示す場合）に有効である。
【産業上の利用可能性】
【００４５】
本発明は、表示画面の画面サイズに応じたコンテンツリストを取得し表示するコンテンツリスト表示装置およびコンテンツリスト表示方法に適用することができる。
【図面の簡単な説明】
【００４６】
【図１】一般的な通信システムの構成を示す構成図
【図２】従来の通信システムの問題点を説明するための模式図
【図３】本発明の実施の形態に係る通信システムの構成を示すブロック図
【図４】本発明の実施の形態に係る通信システムの動作を示すシーケンス図
【図５】コンテンツリストの表示例を示す図
【図６】コンテンツリストの詳細を示す図
【図７】コンテンツ情報の記憶動作を説明するための図
【手続補正３】
【補正対象書類名】図面
【補正対象項目名】全図
【補正方法】変更
【補正の内容】
【図１】
2008096417.tif 000010
【図２】
2008096417.tif 000011
【図３】
2008096417.tif 000012
【図４】
2008096417.tif 000013
【図５】
2008096417.tif 000014
【図６】
2008096417.tif 000015
【図７】
2008096417.tif 000016
【国際調査報告】
2008096417.tif 000017
2008096417.tif 000018
2008096417.tif 000019
2008096417.tif 000020
2008096417.tif 000021
2008096417.tif 000022